(57)【要約】【課題】可動記憶媒体にアクセスするためのピックアップおよびピックアップを備える駆動装置を提供すること。【解決手段】ピックアップ（Ｐ）は、キャリア（Ｃ）、レンズ（３）付き可動アクチュエータ（Ａ）、およびキャリア（Ｃ）とコイルを備えるアクチュエータ（Ａ）とを連結するサスペンション手段を有する。複数のコイルのうちの１つに面する多極磁石（６）の断面内で、２つの対向する磁極（１２、１３）が第１の分離線（１６）にそって隣接する。分離線（１６）は、隣接する複数の磁極（１２、１３）のうちの少なくとも１つの対応する極部（２０、２１）の幅が異なる第１の線部（１８）と第２の線部（１９）を有する。本発明によれば、磁束を増減する少なくとも１つの磁気的能動要素（２２、２３）は、多極磁石（９）の異なる幅を有する複数の極部（２０、２１）のうちの少なくとも１つに取り付けられる。【選択図】図２
2008165974.tif 000002
【特許請求の範囲】
【請求項１】
実質的に平行な情報トラック（Ｔ）を備える可動記憶媒体（Ｄ）にアクセスするためのピックアップ（Ｐ）であって、
前記ピックアップ（Ｐ）は、キャリア（Ｃ）、レンズ（３）付き可動アクチュエータ（Ａ）、および前記キャリア（Ｃ）と前記アクチュエータ（Ａ）とを連結するサスペンション手段を有し、
前記アクチュエータ（Ａ）は、コイルを備え、
前記ピックアップ（Ｐ）は、２つまたはそれ以上の極（１２、１３、１４、１５）を有する少なくとも１つの多極磁石（６）とともに前記キャリア（Ｃ）に接続される磁石構成を有し、
前記複数のコイルのうちの１つに面する前記多極磁石（６）の断面内で、２つの対向する磁極（１２、１３）が第１の分離線（１６）にそって隣接し、
前記分離線（１６）は、前記隣接する複数の磁極（１２、１３）のうちの少なくとも１つの対応する極部（２０、２１）の幅が異なる第１の線部（１８）と第２の線部（１９）を有し、
少なくとも１つの磁気的能動要素（２２、２３）は、多極磁石（６）の異なる幅を有する前記複数の極部（２０、２１）のうちの少なくとも１つに取り付けられることを特徴とするピックアップ（Ｐ）。
【請求項２】
前記磁気的能動要素（２２）は、磁束を減少させる要素であり、幅の広い極部（２１）に取り付けられることを特徴とする請求項１に記載のピックアップ（Ｐ）。
【請求項３】
前記磁気的能動要素（２３）は、磁束を増大させる要素であり、幅の狭い極部（２０）に取り付けられることを特徴とする請求項１または２に記載のピックアップ（Ｐ）。
【請求項４】
前記磁気的能動要素（２２）は、磁化可能な平坦な断片として構成されることを特徴とする請求項１または２に記載のピックアップ（Ｐ）。
【請求項５】
前記磁気的能動要素（２２）は、金属箔として構成されることを特徴とする請求項４に記載のピックアップ（Ｐ）。
【請求項６】
前記磁気的能動要素（２３）は、少なくとも１つのサブ磁石として構成されることを特徴とする請求項１から３のいずれか１項に記載のピックアップ（Ｐ）。
【請求項７】
前記磁気的能動要素（２３）は、前記コイルに面する前記多極磁石（６）の前記側面のところに配列されることを特徴とする請求項１から６のいずれか１項に記載のピックアップ（Ｐ）。
【請求項８】
前記磁気的能動要素（２３）は、前記コイルの後部のところの前記多極磁石（６）の前記側面のところに配列されることを特徴とする請求項１から６のいずれか１項に記載のピックアップ（Ｐ）。
【請求項９】
前記磁気的能動要素（２３）は、前記多極磁石（６）に面するヨーク（７）の開口部内に配列されることを特徴とする請求項８に記載のピックアップ（Ｐ）。
【請求項１０】
請求項１から９のいずれか１項に記載のピックアップ（Ｐ）を有することを特徴とする可動記憶媒体駆動装置。
【発明の詳細な説明】
【技術分野】
【０００１】
本発明は、可動記憶媒体にアクセスするためのピックアップに関し、録画および／または再生装置、例えば、ＤＶＤプレイヤー、ＤＶＤレコーダー、または類似の装置の一部として使用されるピックアップに関する。
【背景技術】
【０００２】
可動記憶媒体にアクセスするためのピックアップは、実質的に平行な複数の情報トラックを持つ可動記憶媒体、つまり回転ディスクに対して、そのディスクの半径方向に移動しながら、情報の記録および／または再生を行う。ピックアップでは、典型的には、１つまたは複数の光線を発生し、ディスク内の層上の標的または走査スポットに光線を集束させる。ディスクから出て来る読み出し光線は、光検出器上に投射され、そこで、電気信号に変換され、さらに評価が行われる。
【０００３】
媒体上の標的スポットが媒体公称位置に関して、また公称位置の周りで変化するという点で位置誤差が生じる。位置誤差は、層内で、情報トラックの方向に直交するトラッキング方向および／またはディスク上の層に直交する軸に平行な焦点方向に生じる。追加の位置誤差、いわゆる傾斜誤差は、ピックアップに関するディスクの配向が公称配向からずれたときに生じうる。半径傾斜方向は、トラッキング方向と焦点方向によって張られる平面内の回転を表現し、接線傾斜方向は、この平面に直交する方向の周りの回転を表現する。これは、いわゆる情報方向、つまり、標的スポット内の情報トラックに対する接線の方向である。位置誤差を調節するために、ピックアップは、レンズが付いている、可動ユニット、いわゆるアクチュエータを備える。
【０００４】
集束動作およびトラッキング動作が同時に実行される場合でも傾斜が小さい、物体駆動装置と呼ばれる、可動記憶媒体にアクセスするためのピックアップが提案されている（例えば、特許文献１参照）。ピックアップは、キャリア、レンズ付き可動アクチュエータ、およびキャリアとコイルを備えるアクチュエータとを連結するサスペンション手段を有する。サスペンション手段は、アクチュエータの両側の、サスペンションワイヤと呼ばれる、弾力性のある支持ロッドにより構成される。
【０００５】
両方のサスペンションワイヤが、移動可能な形でアクチュエータを支持するとともに、アクチュエータ上のコイルに電流を流す。コイルおよび磁石構成は、すべてまとめて磁気駆動部と呼ばれ、アクチュエータの移動を行うものである。アクチュエータは、焦点方向、トラッキング方向、および半径傾斜方向において、それぞれ、キャリアに相対的に移動可能である。
【０００６】
ピックアップは、少なくとも１つの多極磁石とともにキャリアに接続されている磁石構成を有する。多極磁石は、２つまたはそれ以上の極を有し、複数のコイルのうちの１つに面する多極磁石の断面内で、２つの対向する磁極が第１の分離線にそって隣接する。この分離線は、隣接する複数の磁極のうちの少なくとも１つの対応する極部の、分離線に直交する方向の、幅が異なる第１の線部と第２の線部を有する。
【０００７】
望ましくないトルクを中和するために、分離線で隣接する磁極の小さい方が最大の磁束密度を持つ地点からトラッキング方向に中心がオフセットされるように焦点コイルを配置することが提案されている（例えば、特許文献１参照）。このような配列では、アクチュエータがトラッキング方向にオフセットされたときに、２つの焦点コイルにより発生する力は、等しくなくなり、反作用トルクが発生する。アクチュエータの両側で吊すためには、大きな力を作用させる必要があるという欠点として認めることができる。
【０００８】
【特許文献１】米国特許出願公開第２００５／０１８５５３０Ａ１号
【発明の開示】
【発明が解決しようとする課題】
【０００９】
異なる幅を持つ極により生じる、傾斜運動などの望ましくない運動を低減するために、請求項１の前文に従ってピックアップを改善することが望ましい。
【課題を解決するための手段】
【００１０】
本発明により、これは、請求項１の特徴により達成される。本発明で実施可能である有利な開発は、従属する請求項で指定される。
【００１１】
実質的に平行な情報トラックを備える可動記憶媒体にアクセスするためのピックアップは、キャリア、レンズ付き可動アクチュエータ、およびキャリアとアクチュエータとを連結するサスペンション手段を有する。アクチュエータは、焦点方向およびトラッキング方向に移動可能である。アクチュエータは、コイルを備える。ピックアップは、２つまたはそれ以上の極を有する少なくとも１つの多極磁石によりキャリアに接続されている磁石構成を有する。複数のコイルのうちの１つに面する多極磁石の断面内で、２つの対向する磁極が第１の分離線にそって隣接する。この分離線は、隣接する複数の磁極のうちの少なくとも１つの対応する極部の幅が異なる第１の線部と第２の線部を有する。
【００１２】
本発明によれば、少なくとも１つの磁気的能動要素は、多極磁石の異なる幅を有する複数の極部のうちの少なくとも１つに取り付けられている。磁気要素として、または磁化可能要素として構成できる磁気的能動要素は、磁束を増減する。その結果、磁束は、望ましくないトルクを回避するために磁気的能動要素により制御できる。
【００１３】
磁束を減少させる磁気的能動要素は、幅の広い極部分に取り付けられるが、磁束を増大させる磁気的能動要素は、幅の狭い極部分に取り付けられる。
【００１４】
磁気的能動要素は、磁束を減少させる、磁化可能な平坦な断片として、特に金属箔として、構成できる。それとは別に、磁気的能動要素は、磁束を増減させる、少なくとも１つのサブ磁石、特にサブ多極磁石として構成できる。
【００１５】
磁気的能動要素は、コイルに面する多極磁石の側面に配列することができる。それとは別に、磁気的能動要素は、コイルの背後の多極磁石の側面に配列することができ、磁気的能動要素は、多極磁石に面するヨークの開口部内に配列することができる。
【００１６】
好ましくは、可動記憶媒体駆動部は、本発明によるピックアップを備える。
【００１７】
キャリアが剛体的に接続されている要素の集合体であるとしても、キャリア、サスペンションワイヤ、およびアクチュエータを含む、ピックアップ全体が移動可能であり移動されることを阻害されないので、媒体上のすべての媒体上の格納位置は、情報トラックに直交する方向で、アクセス可能である。この点において、アクセスすることは、記憶媒体から情報読み取るための読み出しアクセス、または記憶媒体に情報を書き込むか、または記録するための書き込みアクセス、および読み出しと書き込みのアクセスの組み合わせを包含するものとする。
【００１８】
可動記憶媒体の考えられる一形態は、同心円またはらせん状の情報トラックを備えるディスクであり、アクセスはアクセス光線が発生されて情報トラック上に集束され、情報トラックから戻り、情報トラックにより変調される反射光線が光検出器配列上に集束され、評価される反射型である。しかし、カードまたはテープ形態の場合のように、情報トラックが層内にある光記録媒体の他の形態上で使用されることは本発明の範囲内にあり、これはアクセス原理が反射型であろうと変換型であろう関係ない。
【００１９】
本発明は、図１から１１に例示されている、２つの実施形態を使用して詳細に説明される。
【発明を実施するための最良の形態】
【００２０】
図、特に図４を参照すると、本発明による、可動記憶媒体、つまりディスクＤにアクセスするためのピックアップＰは、底部１およびホルダ２を備えるキャリアＣ、レンズ３を備えるアクチュエータＡ、およびキャリアＣとアクチュエータＡを連結するサスペンション手段を有する。サスペンション手段は、キャリアＣの後部から突き出ている６本のサスペンションワイヤ４により構成される。
【００２１】
サスペンションワイヤ４を備えるサスペンションを使用することで、レンズ３を備えるアクチュエータＡは、非常に広い、不釣り合いな距離で図４に示されている実質的に円形の情報トラックＴを備えるディスクＤに直交する焦点方向Ｙで焦点運動を実行することができる。さらに、アクチュエータＡは、ディスクＤの表面に平行で、情報トラックＴに直交するトラッキング方向Ｘでトラッキング運動を実行することができる。さらに、アクチュエータＡは、トラックＴの方向に平行な、つまり走査スポットＳにおける情報トラックＴの接線方向に平行な情報方向Ｚの周りで回転させることにより、いわゆる半径傾斜運動を実行することができる。
【００２２】
アクチュエータＡは、レンズ３を備えるフレーム形状の本体Ｂおよびプリント基板ＰＣＢを備え、プリント基板は本体Ｂの内側開口部を通り情報方向Ｚに直交する形で広がりつつ本体Ｂに接続されている。プリント基板ＰＣＢは、トラッキングおよび焦点コイルを備えているが、図では塞がれている。
【００２３】
サスペンションワイヤ４は、実質的に平行に配列されている。これらは、媒体上で走査される情報トラックの方向、つまり情報方向Ｚに配向される。これらは、本体Ｂに関して対称に配列される。３本のサスペンションワイヤ４は、本体Ｂのトラッキング方向Ｘで２つの対向する側面のそれぞれで終端する。３本のサスペンションワイヤ４は、本体Ｂのそれぞれの側面において、焦点方向Ｙで互いの上に配列され、点５をハンダ付けすることによりプリント基板ＰＣＢの突出部に一端でハンダ付けされる。
【００２４】
ピックアップＰは、２つの多極磁石６および２つのヨーク７とともに、キャリアＣに接続されている磁石構成を有する。ヨーク７は、それぞれ多極磁石６のうちの１つを備え、底部１から垂直に、つまり焦点方向Ｙに伸びる。多極磁石７を持つヨーク７は、多極磁石６のそれぞれが情報方向Ｚで２つの対向する側面のうちの一方でプリント基板ＰＣＢに面するように本体Ｂの内側開口部内に配列される。
【００２５】
底部１は、焦点方向Ｙに直交し、ディスクＤに平行な平面内、つまり、トラッキング方向Ｘと情報方向Ｚで張られる平面内に広がる。ホルダ２は、ネジ９により底部１のストラップ８に接続されている。ホルダ２は、サスペンションワイヤ４の他端に対するハンダ付け点を有する他のプリント基板１０を含む。プリント基板１０は、アクチュエータＡの背後、つまり、本体Ｂの反対側にあるホルダ２のその側面に配置される。ホルダ２は、ホルダ２を貫通するサスペンションワイヤ４を減衰する減衰材料が内側にある減衰ブロックにより構成される。
【００２６】
図１を参照すると、多極磁石６はそれぞれ、２枚の板１１を備え、それぞれに４つの極１２、１３、１４、および１５がある。それぞれの板１１の極１２および１３は、板１１上で焦点方向Ｙに伸びる、対向する極１２、１３の１つの対として構成され、板１１の中間で焦点方向Ｙに伸びる、第１の分離線１６にそって隣接する。極１４および１５は、板１１の上側コーナーの両方に配列される。これらは、第２のＬ字型分離線１７により極１２および１３から離される。極１２から１５は、対向する極１２と１３、１４と１２、１５と１３が分離線１６と１７により分離されるように配列される。対向する極１２および１３の幅は、トラッキング方向Ｘにおいて、極１４および１５が配列されている分離線１６の上側直線部１８の狭い幅から下側直線部１９の広い幅まで変化する。
【００２７】
分離線１６、１７は、中立帯であり、これらは、図には非常に広い幅で示されている。結果として、小さな中立帯が得られ、磁性体が磁化され、対向する極１２から１５が隣接する多極磁石６になる場合には不可避である。
【００２８】
それぞれの多極磁石６は、例えば、トラッキング方向Ｘに互いに隣り合って配列される、３つのコイルを備えるプリント基板ＰＣＢに面している。その結果、対向する極１１、１２が第１の分離線１６にそって隣接する、トラッキング方向で多極磁石６の中間断面が中間コイルに面する。多極磁石６のこの断面において、分離線１６の上側直線部１８にそった極１２、１３の上側極部２０の幅と下側直線部１９にそった下側極部の幅は異なる。
【００２９】
本発明によれば、磁化可能要素として構成される、１つの磁気的能動要素２２は、コイルに面する対応する多極磁石６の側面のところで多極磁石６のそれぞれに取り付けられる。磁気的能動要素２２は、幅の広い極１２、１３の下側極部２１に配列される。磁気的能動要素２２は、下側極部２１を覆い、一方の角が下側直線部１９の上端のところに配列され、底部が下側極部２１の下縁にそって伸びる実質的に三角形の形状を有する。
【００３０】
磁気的能動要素２２は、磁化可能な平坦な断片として、特に金属箔などで構成される。これは、下側極部２１のところで磁束を減少させる。
【００３１】
それとは別に、本体Ｂは、コイルが装着された平坦なボードを備えることができる。
【００３２】
本発明によるピックアップＰは、光媒体駆動装置のいわゆるスライド式または橇型設計で使用することができ、その場合、これは、リニアモーターまたはモーター駆動式ネジ棒などのシフトを実現するための適切な直線駆動手段を備える駆動装置のフレーム構造にシフト可能なように装着される。それとは別に、本発明によるピックアップＰは、さらに、いわゆるスイベルアーム設計でも使用可能であり、これは、おそらくは、焦点方向に平行な軸を有するアームの端部に旋回可能なように取り付けられる。そのような方法で、ピックアップＰは、トラッキング方向Ｘでその主要な延長部を有する、円弧にそってディスクＤの表面上でトラックＴを横断的に移動可能である。
【００３３】
本発明の第２の実施形態は、以下の特徴を除いて第１の実施形態に対応する。
【００３４】
図６を参照すると、極１２および１５は、Ｎ極１３とＳ極１４として特徴付けられる。
【００３５】
本発明によれば、磁気要素として構成される、磁気的能動要素２３のうちの１つは、コイルの後部の多極磁石６の側面のところで対応する多極磁石９のそれぞれに取り付けられる。磁気的能動要素２３は、幅の狭い極１２、１３の上側極部２０に配列される。
【００３６】
磁気的能動要素２３は、２つのより小さな板２４を備え、それぞれ２つの極２５、２６を持つサブ磁石、つまりサブ多極磁石として構成される。それぞれの磁気的能動要素２３は、コイルの後部のところで多極磁石６に面する対応するヨーク７の開口部内に配列される。これは、上側極部２０のところで磁束を増大させる。
【図面の簡単な説明】
【００３７】
【図１】幅の異なる磁極を持つ多極磁石を示す簡略化された斜視図である。
【図２】本発明の第１の実施形態による多極磁石に取り付けられている磁気的能動要素を備える図１の多極磁石を示す図である。
【図３】図２の多極磁石のうちの２つを備える磁石構成を有するキャリアを示す簡略化された斜視図である。
【図４】図３の配列を持つ対応するピックアップを示す簡略化された斜視図である。
【図５】図４のピックアップを示す簡略化された上面図である。
【図６】幅の異なるＮ極とＳ極を持つ多極磁石を示す簡略化された正面図である。
【図７】本発明の第２の実施形態による多極磁石に取り付けられている磁気的能動要素を備える図６の多極磁石を示す図である。
【図８】図７の多極磁石を示す簡略化された上面図である。
【図９】図８の多極磁石を示す簡略化された斜視図である。
【図１０】図８および９の多極磁石のうちの２つを備える磁石構成を有するキャリアを示す簡略化された斜視図である。
【図１１】図１０の配列を持つ対応するピックアップを示す簡略化された斜視図である。
【図１】
2008165974.tif 000003
【図２】
2008165974.tif 000004
【図３】
2008165974.tif 000005
【図４】
2008165974.tif 000006
【図５】
2008165974.tif 000007
【図６】
2008165974.tif 000008
【図７】
2008165974.tif 000009
【図８】
2008165974.tif 000010
【図９】
2008165974.tif 000011
【図１０】
2008165974.tif 000012
【図１１】
2008165974.tif 000013